(57)【要約】【課題】  昇降パネルが上下する窓構造であって、昇降パネルの下枠から雨水が室内側に廻り込むのを防止した窓構造の提供を目的とする。【解決手段】  躯体の窓開口部に対して昇降パネルが上昇すると当該窓開口部を閉じ、昇降パネルが下降すると当該窓開口部を開く窓構造であって、当該窓開口部の下側に外側パネルと内側パネルとにて、その間に昇降パネルの収納部を形成し、昇降パネルの下枠は水平方向に延在した外側凹部と内側凹部を有し、外側パネルは開口上端部付近に、前記外側凹部に入り込む外側垂下片を有し、内側パネルは開口上端部付近に前記内側凹部に入り込む内側垂下片を有し、前記外側凹部の底部高さが前記内側凹部の底部高さよりも低いことを特徴とする。【選択図】  図１
2010180627.tif 000002
【特許請求の範囲】
【請求項１】
躯体の窓開口部に対して昇降パネルが上昇すると当該窓開口部を閉じ、昇降パネルが下降すると当該窓開口部を開く窓構造であって、
当該窓開口部の下側に外側パネルと内側パネルとにて、その間に昇降パネルの収納部を形成し、昇降パネルの下枠は水平方向に延在した外側凹部と内側凹部を有し、外側パネルは開口上端部付近に、前記外側凹部に入り込む外側垂下片を有し、内側パネルは開口上端部付近に前記内側凹部に入り込む内側垂下片を有し、前記外側凹部の底部高さが前記内側凹部の底部高さよりも低いことを特徴とする昇降窓構造。
【請求項２】
前記外側凹部は、浸入した雨水の排水部を有し、当該排水部の下方に、昇降パネル収納部の垂直方向に沿った雨水誘導リブを有することを特徴とする請求項１記載の昇降窓構造。
【発明の詳細な説明】
【技術分野】
【０００１】
本発明は、昇降パネルが躯体の窓開口部を昇降する窓構造に関し、特に昇降パネルの下枠と窓開口部下側に設けた昇降パネル収納部との納まり構造に係る。
【背景技術】
【０００２】
引き違い障子にあっては、外側障子と内側障子との召合せ部にクレセントを設けることで、外側障子が内側障子に寄せ付けられ、耐風圧性や水密性を確保することができる。
しかし、引き違い障子は、障子を片側に寄せて開口する構造であるために障子の開口幅に制限があり窓の開放感に劣る。
そこで、開口部の下であって外壁と内壁との間にガラス戸の収納スペースを設けた昇降パネルタイプの窓構造が提案されている（特許文献１）。
このような昇降窓にあっては、開口部を広く採ることができ開放感に優れる。
しかし、昇降パネルが開口部を閉じた際に、この昇降パネルの下枠と躯体の外側パネルとの間から雨水が浸入しやすく、また、耐風圧性を確保するのが難しい問題があった。
【先行技術文献】
【特許文献】
【０００３】
【特許文献１】特開平４−１７９７８７号公報
【発明の概要】
【発明が解決しようとする課題】
【０００４】
本発明は、昇降パネルが上下する窓構造であって、昇降パネルの下枠から雨水が室内側に廻り込むのを防止した窓構造の提供を目的とする。
【課題を解決するための手段】
【０００５】
本発明に係る昇降窓構造は、躯体の窓開口部に対して昇降パネルが上昇すると当該窓開口部を閉じ、昇降パネルが下降すると当該窓開口部を開く窓構造であって、当該窓開口部の下側に外側パネルと内側パネルとにて、その間に昇降パネルの収納部を形成し、昇降パネルの下枠は水平方向に延在した外側凹部と内側凹部を有し、外側パネルは開口上端部付近に、前記外側凹部に入り込む外側垂下片を有し、内側パネルは開口上端部付近に前記内側凹部に入り込む内側垂下片を有し、前記外側凹部の底部高さが前記内側凹部の底部高さよりも低いことを特徴とする。
【０００６】
昇降パネルとして上枠と下枠及び左右の縦枠で枠体を形成し、この枠体にガラス等のパネルを組み込んだ構造を採用した場合に昇降パネルが上昇し、窓開口部を閉じた際に、上枠と左右の縦枠は躯体側の上レール及び左右の縦レール（スライドレール）とで嵌合支持ができる。
これに対して昇降パネルの下枠は、躯体の開口部下側に設けた外側パネルと内側パネルとの上端部付近に位置することになるために躯体側には、昇降パネルの下枠に嵌合させるための下レール部を設けることができない。
そこで本発明は、昇降パネルの下枠に外側凹部と内側凹部を設け、外側パネルの外側垂下片及び内側パネルの内側垂下片を引っ掛ける構造を採用した。
【０００７】
本発明において、前記外側凹部は、浸入した雨水の排水部を有し、当該排水部の下方に、昇降パネル収納部の垂直方向に沿った雨水誘導リブを有するようにしてもよい。
【発明の効果】
【０００８】
本発明に係る窓構造にあっては、昇降パネルの下枠に設けた外側凹部に躯体の外側パネルに設けた外側垂下片を入り込ませ、昇降パネルの下枠に設けた内側凹部に躯体の内側パネルに設けた内側垂下片を入り込ませたので、この引っ掛け構造により耐風圧性を確保することができる。
この際に、下枠の外側凹部の底部の高さを内側凹部の底部の高さよりも低く設定したので、仮に外側凹部に雨水が浸入しても室内側に廻り込むのを防止できる。
また、昇降パネルの下枠に設けた外側凹部に雨水の排水部を設け、その下方に雨水誘導リブを設けると速やかに雨水が屋外に排水され、さらに室内への浸入を抑えることができる。
【図面の簡単な説明】
【０００９】
【図１】昇降パネルの下枠と収納部の上部付近の拡大図を示す。
【図２】Ａ−Ａ線断面図を示す。
【図３】昇降窓の断面構図を示す。
【図４】本発明に係る窓構造の外観図を示す。
【発明を実施するための形態】
【００１０】
図４に本発明に係る昇降窓構造を採用した昇降窓１０の外側外観図を示し、図３は縦断面図、図１は昇降パネル１３の下枠付近の拡大図を示す。
建築物の躯体の一部を切り抜いて開口部３０を形成し、この開口部３０の下側に外側パネル１１と内側パネル１２とで、その間に昇降パネル１３の収納部Ｓを設けてある。
開口部３０の両側から収納部Ｓの両側にわたって左右に上下方向の昇降レール２０を有し、昇降パネル１３は、この左右の昇降レール２０の沿って上げ下げされる。
【００１１】
昇降パネル１３は、アルミサッシで製作された上枠１３ａと下枠１３ｂ及び左右の縦枠（図示省略する）とで形成した枠体にガラスを組み込んである。
本実施例では、ペアガラスの二重構造の例となっている。
昇降パネル１３は、下部を左右のブラケット１３ｃに支持され昇降装置２１に巻装されたワイヤーにて上げ下げする。
開口部３０の下側は、水平方向に設けた室外サッシ３１と室内サッシ３２とを有し、昇降パネル１３に室内外から摺接するようになっているが、昇降がスムーズになるようにガラスと室内外サッシ３２，３１の間には弾性を有するタイト材３２ａ，３１ａが設けられている。
【００１２】
外側パネル１１に取り付けた室外サッシ３１は、下方向に垂下した外側垂下片３１ｂを有し、内側パネル１２に取り付けた室内サッシ３２は下方向に垂下した内側垂下片３２ｂを有する。
室内外に設けた垂下片に対応するように昇降パネル１３の下枠１３ｂには略Ｕ字断面形状からなる、外側凹部１４と内側凹部１５を有し、外側凹部１４の底部１４ａの高さは、内側凹部１５の底部１５ａの高さよりも低く設定してあり、その高低差ｄは５〜２０ｍｍ有する。
これにより昇降パネル１３のガラス面と、室外サッシ３１ａに取り付けたタイト材３２ａとの間から雨水が仮に浸入しても、外側凹部１４の底部１４ａの高さが内側凹部１５の底部１５ａの高さよりも低いので室内にまで雨水が廻り込むことはない。
また、室外サッシ３１及び室内サッシ３２に設けた垂下片３１ｂ、３２ｂと、昇降パネルに設けた内外凹部１５，１４とが引っ掛け構造になっているので耐風圧性も向上する。
【００１３】
図２に図１のＡ−Ａ線断面図を示すように、外側凹部１４は排水のための切欠き溝や孔のような排水部１４ｂを有し、その下に収納部Ｓの垂直方向に沿った外側パネルの補強サッシ１６に雨水誘導リブ１６ａを設けると雨水の排水がスムーズになる。
【符号の説明】
【００１４】
１０      昇降窓
１１      外側パネル
１２      内側パネル
１３      昇降パネル
１３ａ    上枠
１３ｂ    下枠
１４      外側凹部
１４ｂ    排水部
１５      内側凹部
２０      昇降レール    
２１      昇降装置
３０      開口部
３１      室外サッシ
３１ｂ    外側垂下片
３２      室内サッシ
３２ｂ    内側垂下片
Ｓ        収納部
【図１】
2010180627.tif 000003
【図２】
2010180627.tif 000004
【図３】
2010180627.tif 000005
【図４】
2010180627.tif 000006